(57)【特許請求の範囲】
【請求項１】
建物の玄関等に配設した引戸（２Ｌ・２Ｒ）において、該引戸（２Ｌ・２Ｒ）の把手（１０）を回動可能に構成し、該引戸（２）の框（２ｂ）内に収納可能な構造とし、該把手（１０）はアーム（１２Ｔ・１２Ｂ）、柄（１３）、収納スイッチ（１４）から構成し、該引戸（２Ｌ・２Ｒ）の引き違う面（２ｃ・２ｃ）の框（２ｂ）に、該把手（１０）の収納スペース（２２）を形成し、該収納スペース（２２）内の上下面の内側部に、該アーム（１２Ｔ・１２Ｂ）の他側部を留ボルト（１９・１９）により軸支し、前記アーム（１２Ｔ・１２Ｂ）は留ボルト（１９・１９）の胴回りに巻回されたバネ（１７・１７）により絶えず突出方向に付勢し、前記留ボルト（１９・１９）の胴部分において、平面視半月状の平坦面（１９ａ）を形成し、該平坦面（１９ａ）は収納スペース（２２）の開口（２２ｂ）側へ向くように、留ボルト（１９）を締結し、前記アーム（１２Ｔ・１２Ｂ）の長手方向中間位置には収納スイッチ（１４）を配設し、該収納スイッチ（１４）の一側部の端面（１４ａ）を、該留ボルト（１９）の平坦面（１９ａ）と係合させ、他側部を留ボルト（２０）により枢支し、該収納スイッチ（１４）は付勢バネ（１６）により、前記端面（１４ａ）が留ボルト（１９）の平坦面（１９ａ）に当接し、該把手（１０）を突出状態に位置固定すべく構成し、前記把手（１０）の柄（１３）において、該把手（１０）が収納される方向への回動を規制する安全装置（５０）を設け、該安全装置（５０）は、安全スイッチ（５１）とリンク（５２）により構成し、該リンク（５２）は「コ」字状に形成し、該安全スイッチ（５１）の凸部（５１ａ）を設け、前記リンク（５２）の上下中間位置とを連結し、該安全スイッチ（５１）は付勢バネ（５３）により柄（１３）の半径方向外方向に付勢し、該柄（１３）を握り、該安全スイッチ（５１）を押すと、前記リンク（５２）は半径方向内方向に摺動し、該リンク（５２）の上下辺（５２ａ・５２ａ）の先端面（５２ｂ・５２ｂ）が、前記収納スイッチ（１４・１４）の留ボルト（２０・２０）側の側端面（１４ｂ・１４ｂ）に当接し、該収納スイッチ（１４）の回動を規制すべく構成し、該安全スイッチ（５１）を柄（１３）と共に握ることにより、該把手（１０）が収納される方向への回動を規制することを特徴とする引戸の把手
【発明の詳細な説明】
【０００１】
【発明の属する技術分野】
本発明は、高齢者向けの建物等における引戸の把手の技術に関する。
【０００２】
【従来の技術】
元来、引戸とは、建物の開口部に取り付けて、使用者の意志によって出入りするものに対し、開閉できる機能をもつものをいう。引戸は通常、可動部分の戸と、それを納める戸枠とから成り立つ。建物の場合、壁に取り付けられる引戸がもっとも多い。建物の主要な引戸は、人の出入りに対して開閉する出入口用引戸、物品の出入りに対して開閉する収納庫用引戸等に大別される。
【０００３】
高齢者に対応する建物におけては、引戸を開放したときに、車椅子等でも通行可能なようにその玄関出入口の有効幅員は７５０ｍｍ以上として建築基準が定められている。ところで、該建築基準を解消するためには、単純に玄関出入口の全幅を大きくとればよいのであるが、建物もまた規格に沿って量産されたコンクリートパネル等を工程手順にしたがって接合し、建て込んでいくことにより構成されているため、建物設計上及び躯体システム上の問題が生じ、すなわち、該コンクリートパネル等をそのまま使用したのでは前記建築基準を確保することができない場合が多いのである。また、引違戸においては、どちらか一側方に全開したとき、その開口が前記玄関出入口の建築基準を満たしていればよく、框と把手とが互いに交錯する面においては、該把手の替わりに彫込引手を採用して設計対応しているものも多い。このように彫込引手を採用することにより、両引戸とも戸枠に当たるまで全開することができ、該建築基準を確保することができるのであった。
【０００４】
【発明が解決しようとする課題】
しかしながら、前記従来の技術においては、玄関出入口の全幅を大きくとるために別途コンクリートパネル等を発注すると高くつきコスト面で不利であり、また、量産されたコンクリートパネル等で建て込んでいくと、前述の如く、把手が玄関出入口内外側に突出しているため、該把手が他方の引戸の框に当接するまでしか開放することができず、この状態では前記建築基準を解消できない。また、引戸に彫込引手を採用すると、高齢者にとっては、手の懸かり代が少ないため、開閉時には力が入らないこともあり、また、車椅子に乗ったままでは、不安定な姿勢を強いられ、把手に比べてかなり不便さが残るのであった。
【０００５】
本発明は、前記の点を鑑み、コンクリートパネル等の躯体要素のサイズを変更することなく、その開閉操作部分には把手を採用し、且つ、前記建築基準を満たす引戸を提供することを課題とする。
【０００６】
【課題を解決するための手段】
以上が本発明の解決する課題であり、次に課題を解決するための手段を説明する。
【０００７】
建物の玄関等に配設した引戸（２Ｌ・２Ｒ）において、該引戸（２Ｌ・２Ｒ）の把手（１０）を回動可能に構成し、該引戸（２）の框（２ｂ）内に収納可能な構造とし、該把手（１０）はアーム（１２Ｔ・１２Ｂ）、柄（１３）、収納スイッチ（１４）から構成し、該引戸（２Ｌ・２Ｒ）の引き違う面（２ｃ・２ｃ）の框（２ｂ）に、該把手（１０）の収納スペース（２２）を形成し、該収納スペース（２２）内の上下面の内側部に、該アーム（１２Ｔ・１２Ｂ）の他側部を留ボルト（１９・１９）により軸支し、前記アーム（１２Ｔ・１２Ｂ）は留ボルト（１９・１９）の胴回りに巻回されたバネ（１７・１７）により絶えず突出方向に付勢し、前記留ボルト（１９・１９）の胴部分において、平面視半月状の平坦面（１９ａ）を形成し、該平坦面（１９ａ）は収納スペース（２２）の開口（２２ｂ）側へ向くように、留ボルト（１９）を締結し、前記アーム（１２Ｔ・１２Ｂ）の長手方向中間位置には収納スイッチ（１４）を配設し、該収納スイッチ（１４）の一側部の端面（１４ａ）を、該留ボルト（１９）の平坦面（１９ａ）と係合させ、他側部を留ボルト（２０）により枢支し、該収納スイッチ（１４）は付勢バネ（１６）により、前記端面（１４ａ）が留ボルト（１９）の平坦面（１９ａ）に当接し、該把手（１０）を突出状態に位置固定すべく構成し、前記把手（１０）の柄（１３）において、該把手（１０）が収納される方向への回動を規制する安全装置（５０）を設け、該安全装置（５０）は、安全スイッチ（５１）とリンク（５２）により構成し、該リンク（５２）は「コ」字状に形成し、該安全スイッチ（５１）の凸部（５１ａ）を設け、前記リンク（５２）の上下中間位置とを連結し、該安全スイッチ（５１）は付勢バネ（５３）により柄（１３）の半径方向外方向に付勢し、該柄（１３）を握り、該安全スイッチ（５１）を押すと、前記リンク（５２）は半径方向内方向に摺動し、該リンク（５２）の上下辺（５２ａ・５２ａ）の先端面（５２ｂ・５２ｂ）が、前記収納スイッチ（１４・１４）の留ボルト（２０・２０）側の側端面（１４ｂ・１４ｂ）に当接し、該収納スイッチ（１４）の回動を規制すべく構成し、該安全スイッチ（５１）を柄（１３）と共に握ることにより、該把手（１０）が収納される方向への回動を規制するものである。
【０００８】
【発明の実施の形態】
本発明の解決すべき課題および構成は以上の如くであり、次に添付の図面に示した本発明の実施例を説明する。
【０００９】
図１は玄関出入口を引戸とした建物の斜視図、図２は高齢者対応の建物においてその玄関の広さに関する建築基準を示す図、図３は高齢者対応の建物においてその玄関出入口の段差に関する建築基準を示す図、図４は引戸の正面図、図５は本発明に係る把手の斜視図、図６は本発明に係る把手を取り付けた引戸の平面断面図、図７は本発明に係る把手の構造を示す平面断面図、図８は同じく側面断面図、図９は本発明に係る把手を取り付けた引戸の閉じた状態での構成を示す模式図、図１０は同じく全開した状態での構成を示す模式図である。
【００１０】
まず、高齢者に対応する建物１において、その玄関の構成について説明する。図１及び図２に示すように、建物１の玄関出入口には引戸２を取り付け、該出入口に付属してその外側に周囲を開放してポーチ６を設ける。また、該ポーチ６の上方には屋根（または庇）５を配設し、該屋根（または庇）５は該ポーチ６を雨、雪等の悪天候や日ざしから守り，建物１に威容を与えるとともに，その正面の意匠に変化をつけている。
【００１１】
図２に示すように、玄関土間７には、靴の履き替えやコート類の着脱等のためのスペースを確保し、該スペースの広さは下駄箱８等を除いた広さとして、玄関幅Ｌ１は１，１００ｍｍ以上、奥行きＬ２は１、２００ｍｍ以上とする。そして、引戸２Ｒ（または２Ｌ）を全開したとき、車椅子等でも通行しやすいように玄関出入口の有効幅員Ｌ３は７５０ｍｍ以上を確保するものとする。尚、前記ポーチ６及び玄関土間７の床仕上げは、転倒防止のため水に濡れても滑りにくい材質により行なうものとする。
【００１２】
また、図３に示すように、前記ポーチ６と戸枠の下枠２９ａとの段差Ｈ１は２０ｍｍ以下とし、一方、該下枠２９ａと玄関土間７との間の段差Ｈ２は５ｍｍ以下とする。
【００１３】
そして、図４に示すように、引戸２Ｌ・２Ｒの室内外側共には、その框（２ｂ・２ｂ）に彫込引手を設けたり、あるいは、図５に示すような把手１０を設ける等して、その開閉操作を行なうのである。
【００１４】
次に本発明に係る把手１０について説明する。図５に示すように、高齢者に対応するために把手１０についても握り易さの規定があり、大型で飛び出した形状を要求されている。すなわち、把手１０の径Ｄは２０〜４０ｍｍ程度のものとし、円・楕円等丸みを帯びた握り易い形状とし、該把手１０と框２ｂとの空き寸法Ｌ４は３０ｍｍ以上とし、該把手の長さＬ５は１５０ｍｍ以上とする。また、図４に示すように、該把手１０の取り付け高さＨ３は、引戸２Ｌ・２Ｒの下端から該把手１０の上下中央部まで９００±１５０ｍｍとする。
【００１５】
このように玄関及び把手１０については前述の如く建築基準があり、該基準を解消するためには、単純に玄関出入口の全幅を大きくとればよいのであるが、建物１（図１）もまた規格に沿って量産されたコンクリートパネル等を工程手順にしたがって接合し、建て込んでいくことにより構成されているため、建物設計上及び躯体システム上の問題が生じ、すなわち、該コンクリートパネル等をそのまま使用したのでは前記建築基準を確保することができない場合が多い。
【００１６】
あるいは、図１０に示すような引き違いに構成された引戸２Ｌ・２Ｒでは、どちらか一側方向に全開したとき、その開口の有効幅員Ｌ３が７５０ｍｍ以上を満たしていればよく、該建築基準を解消するために、框２ｂと把手１０とが互いに交錯する面において、該把手１０の替わりに彫込引手を採用して設計対応しているものも多い。
【００１７】
この場合、高齢者にとっては、手の懸かり代が少ないため、開閉時には力が入らないこともあり、また、車椅子に乗ったままでは、不安定な姿勢を強いられ、把手に比べてかなり不便さが残るのであった。
【００１８】
本発明では前記の点を鑑み、図６、図９乃び図１０に示すように、両引戸２Ｌ・２Ｒ同士が引き違う面２ｃ・２ｃには可動式の把手１０・１０を取り付け、該把手１０を回動して引戸２Ｌ・２Ｒ内に収納できる構造とする。こうして、引戸２Ｒ（または２Ｌ）を全開するとともに該把手１０を収納してその有効幅員Ｌ３を建築基準である７５０ｍｍ以上として確保するものとする。また、両引戸２Ｌ・２Ｒが引き違う面２ｃ・２ｃと反対側の面２ｄ・２ｄでは、従来型の固定式の把手１１・１１のままとして取り付けるものとする。以下、本発明に係る前記可動式把手１０の機構について説明する。
【００１９】
図５及び図７に示すように、把手１０はアーム１２Ｔ・１２Ｂ、柄１３、収納スイッチ１４、回転ローラ１５・１５等から構成され、柄１３の上下端にアーム１２Ｔ・１２Ｂの一側部、回転ローラ１５・１５の順に取り付け、外観視、「コ」字状に形成する。該アーム１２Ｔ・１２Ｂは柄１３に固設され、該回転ローラ１５・１５は留ボルト１８・１８により回転自在に枢支された構成とする。
【００２０】
また、引戸２Ｌ・２Ｒ同士が引き違う面２ｃ・２ｃ（図９）においては、引戸２Ｌの框２ｂを彫り込んで把手１０の収納スペース２２を形成する。そして、該収納スペース２２内の上下面であって、その内側部で前記アーム１２Ｔ・１２Ｂの他側部を留ボルト１９・１９により軸支する。
【００２１】
このとき、図７で示すように、前記アーム１２Ｔ・１２Ｂは留ボルト１９・１９の胴回りに巻回されたバネ１７・１７により絶えず反時計方向に付勢され、該アーム１２Ｔ・１２Ｂが収納スペース２２の内側枠２２ａに当接して位置固定され、すなわち、把手１０は通常は起き上がった状態で引戸２Ｌ・２Ｒ同士が引き違う面２ｃより突出した構成である。
【００２２】
さらには、前記留ボルト１９・１９の胴部分において、平面視、半月状になるようにしてカットして平坦面１９ａ・１９ａを形成し、該平坦面１９ａ・１９ａが収納スペース２２の開口２２ｂ側へ向くようにして留ボルト１９・１９を締結する。また、両アーム１２Ｔ・１２Ｂの長手方向中間位置には収納スイッチ１４・１４を配設し、該収納スイッチ１４・１４の一側部の端面１４ａ・１４ａを該留ボルト１９・１９の平坦面１９ａ・１９ａと係合させ、他側部を留ボルト２０・２０により枢支して構成する。このとき、収納スイッチ１４・１４は留ボルト２０・２０の胴回りに巻回されたバネ１６・１６により絶えず時計方向に付勢され、該収納スイッチ１４・１４の端面１４ａ・１４ａが留ボルト１９・１９の平坦面１９ａ・１９ａに当接し、把手１０は強固に位置固定されるのである。
【００２３】
また、図５に示すように、柄１３の上下中間位置には安全スイッチ５１を設け、該安全スイッチ５１を柄１３諸共握ることにより、前記収納スイッチ１４・１４の操作を防ぐ安全装置５０を付設する。
【００２４】
図８に示すように、前記安全装置５０は、安全スイッチ５１、リンク５２等により構成されている。該リンク５２は「コ」字状に形成され、該安全スイッチ５１の凸部５１ａ先端と該リンク５２の上下中間位置とを連結する。
【００２５】
また、図７及び図８に示すように、安全スイッチ５１はバネ５３により柄１３における半径方向外方向に付勢され、柄１３を握り、該安全スイッチ５１が押されると、リンク５２は半径方向内方向に摺動する。そして、該リンク５２の上下辺５２ａ・５２ａであって、その摺動方向における先端面５２ｂ・５２ｂが前記収納スイッチ１４・１４の留ボルト２０・２０側の側端面１４ｂ・１４ｂに当接し、該収納スイッチ１４・１４の回動を規制するのである。
【００２６】
そして、もう一方の引戸２Ｒの框２ｂにおいて、前記把手１０が当接する高さ位置にラバー５５を配設して該框２ｂの表面を被装する。該ラバー５５により、框２ｂと把手１０との衝突を緩和するとともに、また、手が框２ｂと把手１０との間に挟まったとき、その衝撃を和らげるように安全面が考慮された構成となっている。
【００２７】
また、図６に示すように、同様にして、引戸２Ｒにも可動式の把手１０を配設し、引戸２Ｌにラバー５５を取り付ける。
【００２８】
このように構成することにより、一方の引戸２Ｒを全開すると、図７に示すように、該引戸２Ｒの框２ｂを被装するラバー５５部分が他方の引戸２Ｌの把手１０の収納スイッチ１４に当たり、該収納スイッチ１４は反時計回りに回動して留ボルト１９との係合が外れるのである。こうして収納スイッチ１４が押されると把手１０は回動可能となり、該把手１０はさらに引戸２Ｒの框２ｂに押されて時計回りに回動し、また、回転ローラ１５・１５で該引戸２Ｒの摺動移動を案内しながら収納スペース２２に収まるのである。
【００２９】
図１０に示すように、こうして引戸２Ｌ・２Ｒは戸枠２９に当たるまで全開することができ、前記玄関出入口の有効幅員Ｌ３を７５０ｍｍ以上として確保することができるのである。
【００３０】
尚、引戸２Ｌ・２Ｒは前記実施例のような引違戸に限定することなく、片引戸、引込戸等、その構造は特に限定するものではない。また、該引戸２Ｌ・２Ｒは人の出入りに対して開閉する出入口用建具のみならず、光、空気等の出入りに対して開閉する窓用建具、出入口用と窓用とを兼用するテラス用建具等にも適用できるのである。
【００３１】
【発明の効果】
本発明は以上のように構成したもので、次のような効果を奏するものである。
建物の玄関等に配設した引戸（２Ｌ・２Ｒ）において、該引戸（２Ｌ・２Ｒ）の把手（１０）を回動可能に構成し、該引戸（２）の框（２ｂ）内に収納可能な構造とし、該把手（１０）はアーム（１２Ｔ・１２Ｂ）、柄（１３）、収納スイッチ（１４）から構成し、該引戸（２Ｌ・２Ｒ）の引き違う面（２ｃ・２ｃ）の框（２ｂ）に、該把手（１０）の収納スペース（２２）を形成し、該収納スペース（２２）内の上下面の内側部に、該アーム（１２Ｔ・１２Ｂ）の他側部を留ボルト（１９・１９）により軸支し、前記アーム（１２Ｔ・１２Ｂ）は留ボルト（１９・１９）の胴回りに巻回されたバネ（１７・１７）により絶えず突出方向に付勢し、前記留ボルト（１９・１９）の胴部分において、平面視半月状の平坦面（１９ａ）を形成し、該平坦面（１９ａ）は収納スペース（２２）の開口（２２ｂ）側へ向くように、留ボルト（１９）を締結し、前記アーム（１２Ｔ・１２Ｂ）の長手方向中間位置には収納スイッチ（１４）を配設し、該収納スイッチ（１４）の一側部の端面（１４ａ）を、該留ボルト（１９）の平坦面（１９ａ）と係合させ、他側部を留ボルト（２０）により枢支し、該収納スイッチ（１４）は付勢バネ（１６）により、前記端面（１４ａ）が留ボルト（１９）の平坦面（１９ａ）に当接し、該把手（１０）を突出状態に位置固定すべく構成し、前記把手（１０）の柄（１３）において、該把手（１０）が収納される方向への回動を規制する安全装置（５０）を設け、該安全装置（５０）は、安全スイッチ（５１）とリンク（５２）により構成し、該リンク（５２）は「コ」字状に形成し、該安全スイッチ（５１）の凸部（５１ａ）を設け、前記リンク（５２）の上下中間位置とを連結し、該安全スイッチ（５１）は付勢バネ（５３）により柄（１３）の半径方向外方向に付勢し、該柄（１３）を握り、該安全スイッチ（５１）を押すと、前記リンク（５２）は半径方向内方向に摺動し、該リンク（５２）の上下辺（５２ａ・５２ａ）の先端面（５２ｂ・５２ｂ）が、前記収納スイッチ（１４・１４）の留ボルト（２０・２０）側の側端面（１４ｂ・１４ｂ）に当接し、該収納スイッチ（１４）の回動を規制すべく構成し、該安全スイッチ（５１）を柄（１３）と共に握ることにより、該把手（１０）が収納される方向への回動を規制するので、例えば、引違戸であれば、摺動させている引戸の框がもう一方の引戸の把手に当たり、該把手は収納されて、摺動させている引戸は戸枠に当たるまで開放（全開）することができる。
また、この状態では、玄関出入口に関する建築基準（有効幅員を７５０ｍｍ以上）を確保することができるのである。
【００３２】
また、前記把手において、該把手の回動の規制を解除する機構を配設することにより、把手は通常は起き上がった状態で引戸同士が引き違う面より突出し、この状態では該把手は固定されているので、オペレータは難なく引戸を開閉でき、操作する上でも扱い易いのである。
そして、一方の引戸を摺動させ、該引戸の框がもう一方の引戸の把手の前記機構に当接すると、把手の回動規制が解除され、回動可能な状態となり、そのまま摺動させている引戸をさらに開放すれば、該把手はその収納スペース内に収納されるのである。このようにして、引戸を押し引きするだけで該引戸を戸枠に当たるまで全開することができ、その結果、前記玄関出入口に関する建築基準（有効幅員を７５０ｍｍ以上）を確保することができるのである。
【００３３】
また、前記把手の柄において、該把手の回動を規制する安全装置を配設したことにより、何かの拍子で他方の引戸（把手を握っている引戸とは別の引戸）が急に開けられ、該引戸の框がもう一方の引戸（把手を握っている引戸）の前記把手の回動規制を解除する機構に当接したとしても、把手諸共安全装置を握っている間は該機構は作用せず、該把手は回動しないのである。
このようにして、手が挟まる等の事故を未然に防ぎ、安全面での対応が図られているのである。
【図面の簡単な説明】
【図１】  玄関出入口を引戸とした建物の斜視図。
【図２】  高齢者対応の建物においてその玄関の広さに関する建築基準を示す図。
【図３】  高齢者対応の建物においてその玄関出入口の段差に関する建築基準を示す図。
【図４】  引戸の正面図。
【図５】  本発明に係る把手の斜視図。
【図６】  本発明に係る把手を取り付けた引戸の平面断面図。
【図７】  本発明に係る把手の構造を示す平面断面図。
【図８】  同じく側面断面図。
【図９】  本発明に係る把手を取り付けた引戸の閉じた状態での構成を示す模式図。
【図１０】  同じく全開した状態での構成を示す模式図。
【符号の説明】
２  引戸（２Ｌ・２Ｒ）
２ｂ  框
１０  把手
１３  柄
１４  収納スイッチ
２２  収納スペース
５０  安全装置
５１  安全スイッチ
【図１】
0003999918.tif 000002
【図２】
0003999918.tif 000003
【図３】
0003999918.tif 000004
【図４】
0003999918.tif 000005
【図５】
0003999918.tif 000006
【図６】
0003999918.tif 000007
【図７】
0003999918.tif 000008
【図８】
0003999918.tif 000009
【図９】
0003999918.tif 000010
【図１０】
0003999918.tif 000011